(57)【要約】      （修正有）【課題】演奏音を高感度に検出して電気信号として出力できる琴を提供する。【解決手段】琴１は、琴弦２（絹、ナイロン、ポリエステル等が使われている）の一端（龍角部）３にピアノ線４が７ｍｍ〜１０ｍｍの幅に螺旋状に巻きつけられ、同様に龍角部３に取り付けられたマグネティックピックアップ５の上に重ねて配設する。龍額６にはピアノ線の端部を係止させる係止部（ネジ部を兼ねる）７を設け、この係止部７のネジに嵌め合うナット８によりピアノ線の位置調節が簡単にできるようにする。位置を調節する糸巻きをそれぞれ配設し、龍額６と龍尾８のいずれの側からもピアノ線の位置調節が簡単にできるように構成する。【選択図】図１
0003146323.tif 000002
【実用新案登録請求の範囲】
【請求項１】
琴弦の一端にピアノ線のごとき金属線を巻き付け、マグネティックピックアップ上に重ねて配設してなることを特徴とする琴。
【請求項２】
琴弦の一端に７ｍｍ〜１０ｍｍの幅にピアノ線を螺旋状に巻きつけ、マグネティックピックアップ上に重ねて配設してなることを特徴とする琴。
【請求項３】
龍額と龍尾の少なくとも一方にピアノ線の位置調節手段を配設してなるこ
とを特徴とする請求項１および２記載の琴。
【考案の詳細な説明】
【技術分野】
【０００１】
本考案は、琴の演奏の際に、琴弦の振動を高感度に検出して電気信号として出力する工夫が施された琴に関するものである。
【背景技術】
【０００２】
琴の弦には絹、ナイロン、ポリエステル等が使われ比較的音量が小さいこともあって、従前から比較的音量が広い会場で琴の演奏をする場合などには、マクロフォンを琴の近傍に置き、琴の演奏音を拾ってアンプなどにつなぎスピーカーから流すようにすることは見受けられたものである。
しかしながら、マイクロフォンによる集音にはマイクロフォンをセットする面倒があった上に、マイクロフォンの配置場所によっては琴の弦音を正確にひろえず音量不足となるといった不満があったものである。
【特許文献１】特開平８−２２２８３号公報
【考案の開示】
【考案が解決しようとする課題】
【０００３】
本案の琴は、琴の弦音を高感度に検出して電気信号として出力できる琴を提供することにある。
【課題を解決するための手段】
【０００４】
本案に係る琴は、弦の一端にピアノ線のごとき金属線を巻き付け、マグネティックピックアップ上に重ねて配設してなるものである。
また、本案に係る琴は、弦の一端に７ｍｍ〜１０ｍｍの幅にピアノ線を螺旋状に巻きつけ、マグネティックピックアップ上に重ねて配設してなるものである。
さらに、本案に係る琴は、龍額と龍尾の少なくとも一方にピアノ線の位置
調節手段を配設してなるものである。
【考案の効果】
【０００５】
琴弦の一端にピアノ線のごとき金属線を巻き付け、ピックアップ上に重ねて配設しているから、琴の弦音を高感度に検出して電気信号として出力させアンプなどに接続することができる。
【考案を実施するための最良の形態】
【０００６】
弦の一端に７ｍｍ〜１０ｍｍの幅にピアノ線を螺旋状に巻きつけ、マグネティックピックアップの上に重ねて配設する。
【実施例】
【０００７】
図１は本案の琴を示す一部省略概略図、図２は龍尾部分の別の実施例を示す概略図である。
図１において、本案に係る琴１は、琴弦２（絹、ナイロン、ポリエステル等が使われている）の一端（龍角部）３にピアノ線４が７ｍｍ〜１０ｍｍの幅に螺旋状に巻きつけられ、同様に龍角部３に取り付けられたマグネティックピックアップ５の上に重ねて配設されている。もちろん重ねるとはいっても、あまりに近づけ過ぎて磁力がピアノ線の振動に悪い作用を及ぼさないよう適当な距離をおいて重ねるとよい。
図2はピアノ線４がマグネティックピックアップ５の上に重ねて配設された模式図、図3はその試作品を示す部分写真図である。
また図４の龍額部分の試作品写真にも示すように、龍額６にはピアノ線の端部を係止させる係止部（ネジ部を兼ねる）７が設けられ、この係止部７のネジに嵌め合うナット８によりピアノ線の位置調節が簡単にできるようにしている。
また、図５の写真には龍尾９の別の実施例を示し、位置を調節する糸巻き10をそれぞれ配設し、龍額６と龍尾８のいずれの側からもピアノ線の位置調節が簡単にできるようにしている。
尚、マグネティックピックアップの形状やピアノ線の位置調節手段については上記実施例に限定されないことは勿論である。また、ピアノ線に限らず、マグネティックピックアップが検出できる振動を発生するどのような金属線を使用してもよい。
【産業上の利用可能性】
【０００８】
本案に係る琴は、弦の一端にピアノ線を巻き付け、マグネティックピックアップ上に重ねて配設してなるから、マイクロフォンを置く位置を選んだり設置したりする手間が省ける上に、琴の弦音をピアノ線を介して高感度に検出して電気信号として出力でき、アンプなどとつなぎ音響処理することにより様々なバリエーションの演奏を楽しむことができる。
また、龍額と龍尾とにピアノ線の位置調節手段を配設することにより、ピアノ線の位置調節を簡単に行うことができる。
【図面の簡単な説明】
【０００９】
【図１】本案の琴を示す一部省略概略図である。
【図２】ピアノ線４がマグネティックピックアップ５の上に重ねて配設された模式図である。
【図３】ピアノ線４がマグネティックピックアップ５の上に重ねて配設された部分を示す試作品写真である。
【図４】本案の龍額部分の試作品写真である
【図５】本案の龍尾部分の別の実施例を示す試作品写真である
【符号の説明】
【００１０】
１    琴
２    琴弦
３    ピアノ線
４    龍角  
５    マグネティックピックアップ
６    龍額
７    係止部（ネジ部を兼ねる）
８    ナット
９    龍尾
10    糸巻き
【図１】
0003146323.tif 000003
【図２】
0003146323.tif 000004
【図３】
0003146323.tif 000005
【図４】
0003146323.tif 000006
【図５】
0003146323.tif 000007
【手続補正書】
【提出日】平成20年7月31日(2008.7.31)
【手続補正１】
【補正対象書類名】明細書
【補正対象項目名】０００７
【補正方法】変更
【補正の内容】
【０００７】
図１は本案の琴を示す一部省略概略図、図２は龍尾部分の別の実施例を示す概略図である。
図１において、本案に係る琴１は、琴弦２（絹、ナイロン、ポリエステル等が使われている）の一端（龍角部）３にピアノ線４が７ｍｍ〜１０ｍｍの幅に螺旋状に巻きつけられ、同様に龍角部３に取り付けられたマグネティックピックアップ５の上に重ねて配設されている。もちろん重ねるとはいっても、あまりに近づけ過ぎて磁力がピアノ線の振動に悪い作用を及ぼさないよう適当な距離をおいて重ねるとよい。
図2はピアノ線４がマグネティックピックアップ５の上に重ねて配設された模式図、図3はその試作品を示す部分写真図である。
また図４の龍額部分の試作品写真にも示すように、龍額６にはピアノ線の端部を係止させる係止部（ネジ部を兼ねる）７が設けられ、この係止部７のネジに嵌め合うナット８によりピアノ線の位置調節が簡単にできるようにしている。
また、図５の写真には龍尾９の別の実施例を示し、位置を調節する糸巻き10をそれぞれ配設し、龍額６と龍尾９のいずれの側からもピアノ線の位置調節が簡単にできるようにしている。
尚、マグネティックピックアップの形状やピアノ線の位置調節手段については上記実施例に限定されないことは勿論である。また、ピアノ線に限らず、マグネティックピックアップが検出できる振動を発生するどのような金属線を使用してもよい。
【手続補正書】
【提出日】平成20年9月9日(2008.9.9)
【手続補正１】
【補正対象書類名】実用新案登録請求の範囲
【補正対象項目名】請求項３
【補正方法】変更
【補正の内容】
【請求項３】
龍額と龍尾の少なくとも一方にピアノ線の位置調節手段を配設してなることを特徴とする請求項１又は２記載の琴。